(57)【要約】【課題】ＶＤＳＬ装置の設置作業、障害発生時の調査作業を容易にする。【解決手段】ＨＤＬＣフレームを利用するＶＤＳＬ試験システムに、局内で試験時にコンソールを切り離し、アドレスフィールドに自分宛のアドレスの値、制御フィールドにループバックの指定値、テストデータをＨＤＬＣフレームに組みＨＤＬＣフレームをＶＤＳＬ回線３００に送信し、受信したＨＤＬＣフレームを分解して制御フィールドにループバックの指定値、アドレスフィールドに自分宛のアドレスの値を検出した場合、テストデータの照合結果を表示する局内の複数のＶＴＵ−Ｏ１００と、複数のＶＴＵ−Ｏに対向してＶＤＳＬ回線を介して接続され、対向したＶＴＵ−Ｏから受信したＨＤＬＣフレームを分解し制御フィールドにループバックの指定値を検出した場合、コンソールを切り離し、受信したＨＤＬＣフレームを折り返して、対向するＶＴＵ−Ｏに送信する宅内の複数のＶＴＵ−Ｒ２００とを備える。【選択図】  図１
2005005908.tif 000002
【特許請求の範囲】
【請求項１】
コンソールからのパケットをＨＤＬＣフレームに組み立てＶＤＳＬ回線に送信し、ＶＤＳＬ回線から受信したＨＤＬＣフレームを分解してコンソールにパケットを送信するＶＤＳＬ装置のＶＤＳＬ試験システムにおいて、
局内で試験時に前記コンソールを切り離し、アドレスフィールドに自分宛のアドレスの値、制御フィールドにループバックの指定値、固有データとしてテストデータを設定しＨＤＬＣフレームに組み立てＨＤＬＣフレームをＶＤＳＬ回線に送信し、前記ＶＤＳＬ回線を介して受信したＨＤＬＣフレームを分解して制御フィールドにループバックの指定値、アドレスフィールドに自分宛のアドレスの値を検出した場合、固有データとして設定されたテストデータを照合し照合結果を表示する局内の複数のＶＴＵ−Ｏと、
前記複数のＶＴＵ−Ｏに対向してＶＤＳＬ回線を介して接続され、対向した前記ＶＴＵ−Ｏから受信したＨＤＬＣフレームを分解し制御フィールドにループバックの指定値を検出した場合、前記コンソールを切り離し、受信したＨＤＬＣフレームを折り返して、対向する前記ＶＴＵ−Ｏに送信する宅内の複数のＶＴＵ−Ｒとを備えることを特徴とするＶＤＳＬ試験システム。
【請求項２】
コンソールからのパケットをＨＤＬＣフレームに組み立てＶＤＳＬ回線に送信し、ＶＤＳＬ回線から受信したＨＤＬＣフレームを分解してコンソールにパケットを送信するＶＤＳＬ装置のＶＤＳＬ試験システムにおいて、
宅内で試験時に前記コンソールを切り離し、アドレスフィールドに自分宛のアドレスの値、制御フィールドにルーティングの指定値、固有データとしてテストデータを設定しＨＤＬＣフレームに組み立てＨＤＬＣフレームをＶＤＳＬ回線に送信し、前記ＶＤＳＬ回線を介して受信したＨＤＬＣフレームを分解して制御フィールドにルーティングの指定値、アドレスフィールドに自分宛のアドレスの値を検出した場合、固有データとして設定されたテストデータを照合し照合結果を表示し、制御フィールドにルーティングの指定値の検出ができアドレスフィールドに自分宛のアドレスの値の検出ができない場合固有データとして設定されたテストデータを照合せずに前記コンソールを切り離し、受信したＨＤＬＣフレームを折り返しＶＤＳＬ回線に送信する宅内の複数のＶＴＵ−Ｒと、
局内で前記複数のＶＴＵ−Ｒに対向してＶＤＳＬポートを有しＶＤＳＬ回線を介して接続され、対向したＶＴＵ−Ｒから受信したＨＤＬＣフレームを分解し制御フィールドにルーティングの指定値を検出した場合、前記コンソールを切り離し、受信したＨＤＬＣフレームを折り返してＶＤＳＬポートからポート接続線を介して他のＶＴＵ−ＯのＶＤＳＬポートに送信し、ＶＤＳＬポートを介して受信したＨＤＬＣフレームを分解し制御フィールドにルーティングの指定値を検出した場合前記コンソールを切り離し、受信したＨＤＬＣフレームを折り返して対向するＶＴＵ−Ｒに送信する局内の複数のＶＴＵ−Ｏとを備えることを特徴とするＶＤＳＬ試験システム。
【請求項３】
コンソールからのパケットをＨＤＬＣフレームに組み立てＶＤＳＬ回線に送信し、ＶＤＳＬ回線から受信したＨＤＬＣフレームを分解してコンソールにパケットを送信するＶＤＳＬ装置のＶＤＳＬ試験システムのＶＴＵ−Ｏ／Ｒにおいて、
試験時にコンソールを切り離す第１のスイッチと、
アドレスフィールドに自分宛のアドレスの値、制御フィールドにループバック又はルーティングの指定値、固有データとしてテストデータを設定するアドレス・制御フィールド設定部と、
前記アドレス・制御フィールド設定部で設定されたアドレスフィールド、制御フィールド、固有データをＨＤＬＣフレームに組み立てＶＤＳＬ回線に送信させるＨＤＬＣカプセル化部と、
受信したＨＤＬＣフレームを分解してアドレスフィールドに自分宛のアドレスの値、制御フィールドにループバック又はルーティングの指定値があるか否かを検出するアドレス・制御フィールド検出部と、
前記アドレス・制御フィールド検出部によるＨＤＬＣフレームの分解で得られた固有データとしてテストデータを照合しエラーを検出し、照合結果を表示するエラー検出・表示部と、
前記アドレス・制御フィールド検出部によってアドレスフィールドに自分宛のアドレスの値、制御フィールドにループバック又はルーティングの指定値が検出された場合にエラー検出・表示部に固有データとしてテストデータを照合させ、前記アドレス・制御フィールド検出部によって制御フィールドにループバック又はルーティングの指定値が検出され、アドレスフィールドに自分宛のアドレスの値が検出できない場合第１のスイッチをコンソールから切り離し、ＨＤＬＣフレームを折り返してＶＤＳＬ回線に送信させる第２のスイッチとを備えることを特徴とするＶＤＳＬ試験システムのＶＴＵ−Ｏ／Ｒ。
【請求項４】
コンソールからのパケットをＨＤＬＣフレームに組み立てＶＤＳＬ回線に送信し、ＶＤＳＬ回線から受信したＨＤＬＣフレームを分解してコンソールにパケットを送信するＶＤＳＬ装置のＶＤＳＬ試験方法において、
試験時に局内の複数のＶＴＵ−ＯではＶＴＵ−Ｏのコンソールを切り離す工程と、
アドレスフィールドに自分宛のアドレスの値、制御フィールドにループバックの指定値、固有データとしてテストデータを設定しＨＤＬＣフレームに組み立てる工程と、
組み立てたＨＤＬＣフレームをＶＤＳＬ回線に送信する工程と、
前記複数のＶＴＵ−Ｏに対向してＶＤＳＬ回線を介して接続される複数のＶＴＵ−Ｒでは対向したＶＴＵ−ＯからＨＤＬＣフレームを、ＶＤＳＬ回線を介して、受信する工程と、
受信したＨＤＬＣフレームを分解して制御フィールドにループバックの指定値を検出する工程と、
制御フィールドにループバックの指定値を検出した場合、コンソールを切り離し受信したＨＤＬＣフレームを折り返す工程と、
折り返したＨＤＬＣフレームを、ＶＤＳＬ回線を介して、対向するＶＴＵ−Ｏに送信する工程と、
対向するＶＴＵ−Ｏでは折り返したＨＤＬＣフレームを、ＶＤＳＬ回線を介して、受信する工程と、
受信した折り返しＨＤＬＣフレームを分解し制御フィールドにループバックの指定値、アドレスフィールドに自分宛のアドレスの値があるか否かを検出する工程と、
制御フィールドにループバックの指定値、アドレスフィールドに自分宛のアドレスの値を検出した場合、固有データとして設定されたテストデータを照合しエラーを検出する工程と、
照合結果を表示する工程とを備えるＶＤＳＬ装置のＶＤＳＬ試験方法。
【請求項５】
コンソールからのパケットをＨＤＬＣフレームに組み立てＶＤＳＬ回線に送信し、ＶＤＳＬ回線から受信したＨＤＬＣフレームを分解してコンソールにパケットを送信するＶＤＳＬ装置のＶＤＳＬ試験方法において、
宅内の複数のＶＴＵ−Ｒでは試験時にＶＴＵ−Ｒのコンソールを切り離す工程と、
アドレスフィールドにルーティング先であるＶＴＵ−Ｒのアドレスの値、制御フィールドにルーティングの指定値、固有データとしてテストデータを設定しＨＤＬＣフレームに組み立てる工程と、
組み立てたＨＤＬＣフレームをＶＤＳＬ回線に送信する工程と、
前記複数のＶＴＵ−Ｒに対向してＶＤＳＬ回線を介して接続され、ポート接続線で接続されるＶＤＳＬポートを有する局内の複数のＶＴＵ−Ｏでは対向したＶＴＵ−ＲからＨＤＬＣフレームを、ＶＤＳＬ回線を介して、受信する工程と、
受信したＨＤＬＣフレームを分解して制御フィールドにルーティングの指定値を検出する工程と、
制御フィールドにルーティングの指定値を検出した場合、コンソールを切り離し受信したＨＤＬＣフレームを折り返す工程と、
折り返したＨＤＬＣフレームをＶＤＳＬポートからポート接続線を介して他のＶＴＵ−Ｏに送信する工程と、
他のＶＴＵ−Ｏでは受信したＨＤＬＣフレームを分解し制御フィールドにルーティングの指定値があるか否かを検出する工程と、
制御フィールドにルーティングの指定値がある場合、他のＶＴＵ−Ｏのコンソールを切り離し、受信したＨＤＬＣフレームを折り返す工程と、
折り返したＨＤＬＣフレームを、他のＶＴＵ−Ｏに対向する他のＶＴＵ−Ｒに、ＶＤＳＬ回線を介して、送信する工程と、
他のＶＴＵ−Ｒでは、対向する他のＶＴＵ−Ｏから折り返したＨＤＬＣフレームを受信する工程と、
他のＶＴＵ−Ｒでは、受信したＨＤＬＣフレームを分解し制御フィールドにルーティングの指定値、アドレスフィールドにルーティング先であるＶＴＵ−Ｒのアドレスの値があるか否かを検出する工程と、
制御フィールドにルーティングの指定値、アドレスフィールドにルーティング先であるＶＴＵ−Ｒのアドレスの値を検出した場合、固有データとして設定されたテストデータを照合しエラーを検出する工程と、
照合結果を表示する工程と、
制御フィールドにルーティングの指定値を検出し、アドレスフィールドにルーティング先であるＶＴＵ−Ｒのアドレスの値を検出できない場合、他のＶＴＵ−Ｒのコンソールを切り離し、受信したＨＤＬＣフレームを折り返す工程と、
折り返したＨＤＬＣフレームを、ＶＤＳＬ回線を介して、対向する他のＶＴＵ−Ｏに送信し、ルーティング先であるＶＴＵ−Ｒのアドレスを検出するまで、ルーティングを続ける工程とを備えるＶＤＳＬ試験方法。
【発明の詳細な説明】
【０００１】
【発明が属する技術分野】
本発明はＶＤＳＬ（Ｖｅｒｙ  Ｈｉｇｈ  Ｂｉｔ  Ｒａｔｅ  ＤｉｇｉｔａｌＳｕｂｓｃｒｉｂｅｒ  Ｌｉｎｅ）試験システム、そのＶＴＵ−Ｏ／Ｒに関する。特に、本発明は、ＨＤＬＣ（Ｈｉｇｈ  Ｌｅｖｅｌ  Ｄａｔａ  Ｌｉｎｋ）フレームを利用して単独でループバック、ルーティングを行うＶＤＳＬ試験方法に関する。
【０００２】
【従来の技術】
従来のＨＤＬＣ手順回線の折り返し試験方式ではパケット交換網を介してＨＤＬＣ手順を有するコンピュータ同士又はコンピュータと端末間での折り返し試験方法が開示されている（例えば、特許文献１参照。）。
【０００３】
【特許文献１】
特開平２−２６４３１号公報（第２頁、第１図、第２図）
【０００４】
ところで、近年、上記の従来技術のようにパケット交換網を経由しないＶＤＳＬの加入者が増大し、今後の伸びがさらに期待されている。
図１１は本発明の前提となる一般的なＶＤＳＬ装置の概略論理構成を示すブロック図である。なお、全図を通して同一の構成要素には同一の番号、符号を付して説明を行う。
【０００５】
本図に示す局内にＶＴＵ−Ｏ（ＶＤＳＬ  Ｔｒａｎｓｃｅｉｖｅｒ  Ｕｎｉｔ−Ｃｅｎｔｅｒ  Ｏｆｆｉｃｅ）１００が設けられ、ＶＴＵ−Ｏ１００は局内機器として設置されるＶＤＳＬモデムである。
ユーザの宅内にＶＴＵ−Ｒ（ＶＤＳＬ  Ｔｒａｎｓｃｅｉｖｅｒ  Ｕｎｉｔ  −Ｒｅｍｏｔｅ）２００が設けられ、ＶＴＵ−Ｒ２００は宅内機器（Ｃｕｓｔｏｍｅｒ  Ｐｒｅｍｉｓｅｓ  Ｅｑｕｉｐｍｅｎｔ）として設置されるＶＤＳＬモデムである。
【０００６】
ＶＴＵ−Ｏ１００／ＶＴＵ−Ｒ２００には物理メディア依存部（Ｐｈｙｓｉｃａｌ  Ｍｅｄｉａ  Ｄｅｐｅｎｄｅｎｔ：ＰＭＤ）１０１／２０１が設けられ、物理メディア依存部１０１／２０１はＶＤＳＬ回線３００に接続され物理メディア依存等を規定する。
物理メディア依存部１０１／２０１にはＰＭＳ伝送コンバージェンス部（Ｐｈｙｓｉｃａｌ  Ｍｅｄｉａ  ＳｐｅｃｉｆｉｃーＴｒａｎｓｆｅｒ  Ｃｏｎｖｅｒｇｅｎｃｅ：ＰＭＳ−ＴＣ）１０２／２０２が接続され、ＰＭＳ伝送コンバージェンス部１０２／２０２は伝送フレームアダプテーション等を規定する。
【０００７】
さらに、ＰＭＳ伝送コンバージェンス部１０２／２０２にはＴＰＳ伝送コンバージェンス部（Ｔｒａｎｓｍｉｓｓｉｏｎ  Ｐｒｏｔｏｃｏｌ  Ｓｐｅｃｉｆｉｃ−Ｔｒａｎｓｍｉｓｓｉｏｎ  Ｃｏｎｖｅｒｇｅｎｃｅ）１０３／２０３が接続され、ＴＰＳ伝送コンバージェンス部１０３／２０３は伝送フレームの生成、組み立て、分解等を行う。
【０００８】
さらに、ＴＰＳ伝送コンバージェンス部１０３／２０３にはＶＤＳＬ管理エントリー部（ＶＤＳＬ  Ｍａｎａｇｅｍｅｎｔ  Ｅｎｔｒｙ：ＶＭＥ）１０４／２０４が接続され、ＶＤＳＬ管理エントリー部１０４／２０４はＶＤＳＬのエントリーを管理する。
さらに、ＶＤＳＬ管理エントリー部１０４／２０４にはＰＭＤ＆ＴＣ管理部１０５／２０５が接続され、ＰＭＤ＆ＴＣ管理部１０５／２０５はＶＤＳＬ管理エントリー部１０４／２０４を介して物理メディア依存部１０１／２０１、ＰＭＳ伝送コンバージェンス部１０２／２０２、ＴＰＳ伝送コンバージェンス部１０３／２０３を管理する。
【０００９】
ＶＤＳＬ管理エントリー部１０４／２０４には管理情報データベース部（Ｍａｎａｇｅｍｅｎｔ  Ｉｎｆｏｒｍａｔｉｏｎ  Ｄａｔａ  Ｂａｓｅ：ＭＩＢ）１０６／２０６が接続され、管理情報データベース部１０６／２０６は管理対象としてＳＮＭＰ（Ｓｉｍｐｌｅ  Ｎｅｔｗｏｒｋ  Ｍａｎａｇｅｍｅｎｔ  Ｐｒｏｔｏｃｏｌ）等を管理対象としてデータベース化を行う。
【００１０】
さらに、ＶＤＳＬ管理エントリー部１０４／２０４には外部インタフェースアダプタ（Ｅｘｔｅｒｎａｌ  Ｉｎｔｅｒｆａｃｅ  Ａｄａｐｔｏｒ）１０７／２０７が接続され、外部インタフェースアダプタ１０７／２０７はコンソール  又はＥｔｈｅｒｎｅｔ（登録商標）等の端末の外部機器を接続するアダプタである。
【００１１】
図１２は図１１のＶＴＵ−Ｏ１００とＶＴＵ−Ｒ２００が接続されるＶＤＳＬ装置の概略論理構成を示すブロック図である。
本図に示すように、ＶＴＵ−Ｏ１００とＶＴＵ−Ｒ２００とはＶＤＳＬ回線３００を介して接続される。
通常、パケット転送モードを使用するＶＤＳＬ装置では、例えば、ＶＴＵ−Ｏ１００では、外部機器であるコンソール又はＥｔｈｅｒｎｅｔ（登録商標）等の端末からのパケット信号を、アドレスフィールド（Ａｄｄｒｅｓｓ  Ｆｉｅｌｄ）、制御フィールド（Ｃｏｎｔｒｏｌ  Ｆｉｅｌｄ）を有するＨＤＬＣフレームにエンカプセルし、ＶＤＳＬ回線３００側へ送信し、ＶＴＵ−Ｒ２００ではＶＤＳＬ回線３００から受信したＨＤＬＣフレームを分解し、パケット信号を抽出して外部機器であるコンソール又はＥｔｈｅｒｎｅｔ（登録商標）等の端末に送信する。
【００１２】
逆に、ＶＴＵ−Ｒ２００では、外部機器であるコンソール又はＥｔｈｅｒｎｅｔ（登録商標）等の端末からのパケット信号を、アドレスフィールド、制御フィールドを有するＨＤＬＣフレームにエンカプセルし、ＶＤＳＬ回線３００側へ送信し、ＶＴＵ−Ｏ１００ではＶＤＳＬ回線３００から受信したＨＤＬＣフレームを分解し、パケット信号を抽出して外部機器できるコンソール又はＥｔｈｅｒｎｅｔ（登録商標）等の端末に送信する。
【００１３】
上記ＶＤＳＬ装置ではＳＮＭＰ等のネットワークマネージメントプロトコルの保守メンテナンス機能を具備しており、ＳＮＭＰ等を行う場合、正常にＩＰ（Ｉｎｔｅｒｎｅｔ  Ｐｒｏｔｏｃｏｌ）通信が可能な状態でなければできなかった。
また、ＩＰ通信が必要なためコンソール又はＥｔｈｅｒｎｅｔ（登録商標）等の端末にて状況把握する必要があった。
【００１４】
【発明が解決しようとする課題】
しかしながら、上記ＶＤＳＬ装置では、設置作業時にはコンソール又はＥｔｈｅｒｎｅｔ（登録商標）等の端末に接続せずに、ＶＤＳＬ装置単独での保守試験が必要となるが、現状ではＶＤＳＬ装置単独での保守試験ができないという問題がある。
また、障害発生時にＶＤＳＬ回線、プロトコル、コンソール又はＥｔｈｅｒｎｅｔ（登録商標）等の端末かの切り分けがシステムを組むまでできないという問題がある。
【００１５】
したがって、本発明は上記問題点に鑑みて、設置作業時にＩＰ通信に依存せず単独で保守試験が可能であり、障害発生時に切り分けを可能とし、ＶＤＳＬ装置の設置作業、障害発生時の調査作業を容易にするＶＤＳＬ試験システム、そのＶＴＵ−Ｏ／Ｒ、ＶＤＳＬ試験方法を提供することを目的とする。
【００１６】
【課題を解決するための手段】
本発明は前記問題点を解決するために、コンソールからのパケットをＨＤＬＣフレームに組み立てＶＤＳＬ回線に送信し、ＶＤＳＬ回線から受信したＨＤＬＣフレームを分解してコンソールにパケットを送信するＶＤＳＬ装置のＶＤＳＬ試験システムにおいて、局内で試験時に前記コンソールを切り離し、アドレスフィールドに自分宛のアドレスの値、制御フィールドにループバックの指定値、固有データとしてテストデータを設定しＨＤＬＣフレームに組み立てＨＤＬＣフレームをＶＤＳＬ回線に送信し、前記ＶＤＳＬ回線を介して受信したＨＤＬＣフレームを分解して制御フィールドにループバックの指定値、アドレスフィールドに自分宛のアドレスの値を検出した場合、固有データとして設定されたテストデータを照合し照合結果を表示する局内の複数のＶＴＵ−Ｏと、前記複数のＶＴＵ−Ｏに対向してＶＤＳＬ回線を介して接続され、対向した前記ＶＴＵ−Ｏから受信したＨＤＬＣフレームを分解し制御フィールドにループバックの指定値を検出した場合、前記コンソールを切り離し、受信したＨＤＬＣフレームを折り返して、対向する前記ＶＴＵ−Ｏに送信する宅内の複数のＶＴＵ−Ｒとを備えることを特徴とするＶＤＳＬ試験システムを提供する。
【００１７】
この手段により、ＶＤＳＬ装置が単独でループバックができ、設置作業時にＩＰ通信に依存せず単独で保守試験が可能であり、障害発生時に切り分けを可能とし、ＶＤＳＬ装置の設置作業、障害発生時の調査作業が容易になる。
さらに、本発明は、コンソールからのパケットをＨＤＬＣフレームに組み立てＶＤＳＬ回線に送信し、ＶＤＳＬ回線から受信したＨＤＬＣフレームを分解してコンソールにパケットを送信するＶＤＳＬ装置のＶＤＳＬ試験システムにおいて、宅内で試験時に前記コンソールを切り離し、アドレスフィールドに自分宛のアドレスの値、制御フィールドにルーティングの指定値、固有データとしてテストデータを設定しＨＤＬＣフレームに組み立てＨＤＬＣフレームをＶＤＳＬ回線に送信し、前記ＶＤＳＬ回線を介して受信したＨＤＬＣフレームを分解して制御フィールドにルーティングの指定値、アドレスフィールドに自分宛のアドレスの値を検出した場合、固有データとして設定されたテストデータを照合し照合結果を表示し、制御フィールドにルーティングの指定値の検出ができアドレスフィールドに自分宛のアドレスの値の検出ができない場合固有データとして設定されたテストデータを照合せずに前記コンソールを切り離し、受信したＨＤＬＣフレームを折り返しＶＤＳＬ回線に送信する宅内の複数のＶＴＵ−Ｒと、局内で前記複数のＶＴＵ−Ｒに対向してＶＤＳＬポートを有しＶＤＳＬ回線を介して接続され、対向したＶＴＵ−Ｒから受信したＨＤＬＣフレームを分解し制御フィールドにルーティングの指定値を検出した場合、前記コンソールを切り離し、受信したＨＤＬＣフレームを折り返してＶＤＳＬポートからポート接続線を介して他のＶＴＵ−ＯのＶＤＳＬポートに送信し、ＶＤＳＬポートを介して受信したＨＤＬＣフレームを分解し制御フィールドにルーティングの指定値を検出した場合前記コンソールを切り離し、受信したＨＤＬＣフレームを折り返して対向するＶＴＵ−Ｒに送信する局内の複数のＶＴＵ−Ｏとを備えることを特徴とするＶＤＳＬ試験システムを提供する。
【００１８】
この手段により、ＨＤＬＣフレームをルーティングして複数のＶＤＳＬ装置とＶＤＳＬ回線とを試験でき、設置作業時にＩＰ通信に依存せず単独で保守試験が可能であり、障害発生時に切り分けを可能とし、ＶＤＳＬ装置の設置作業、障害発生時の調査作業が容易になる。
さらに、本発明は、コンソールからのパケットをＨＤＬＣフレームに組み立てＶＤＳＬ回線に送信し、ＶＤＳＬ回線から受信したＨＤＬＣフレームを分解してコンソールにパケットを送信するＶＤＳＬ装置のＶＤＳＬ試験システムのＶＴＵ−Ｏ／Ｒにおいて、試験時にコンソールを切り離す第１のスイッチと、アドレスフィールドに自分宛のアドレスの値、制御フィールドにループバック又はルーティングの指定値、固有データとしてテストデータを設定するアドレス・制御フィールド設定部と、前記アドレス・制御フィールド設定部で設定されたアドレスフィールド、制御フィールド、固有データをＨＤＬＣフレームに組み立てＶＤＳＬ回線に送信させるＨＤＬＣカプセル化部と、受信したＨＤＬＣフレームを分解してアドレスフィールドに自分宛のアドレスの値、制御フィールドにループバック又はルーティングの指定値があるか否かを検出するアドレス・制御フィールド検出部と、前記アドレス・制御フィールド検出部によるＨＤＬＣフレームの分解で得られた固有データとしてテストデータを照合しエラーを検出し、照合結果を表示するエラー検出・表示部と、前記アドレス・制御フィールド検出部によってアドレスフィールドに自分宛のアドレスの値、制御フィールドにループバック又はルーティングの指定値が検出された場合にエラー検出・表示部に固有データとしてテストデータを照合させ、前記アドレス・制御フィールド検出部によって制御フィールドにループバック又はルーティングの指定値が検出され、アドレスフィールドに自分宛のアドレスの値が検出できない場合第１のスイッチをコンソールから切り離し、ＨＤＬＣフレームを折り返してＶＤＳＬ回線に送信させる第２のスイッチとを備えることを特徴とするＶＤＳＬ試験システムのＶＴＵ−Ｏ／Ｒを提供する。
【００１９】
この手段により、ＶＤＳＬ装置が単独でループバックができ、さらに、ＨＤＬＣフレームをルーティングして複数のＶＤＳＬ装置とＶＤＳＬ回線とを試験でき、設置作業時にＩＰ通信に依存せず単独で保守試験が可能であり、障害発生時に切り分けを可能とし、ＶＤＳＬ装置の設置作業、障害発生時の調査作業が容易になる。
【００２０】
さらに、本発明は、コンソールからのパケットをＨＤＬＣフレームに組み立てＶＤＳＬ回線に送信し、ＶＤＳＬ回線から受信したＨＤＬＣフレームを分解してコンソールにパケットを送信するＶＤＳＬ装置のＶＤＳＬ試験方法において、試験時に局内の複数のＶＴＵ−ＯではＶＴＵ−Ｏのコンソールを切り離す工程と、アドレスフィールドに自分宛のアドレスの値、制御フィールドにループバックの指定値、固有データとしてテストデータを設定しＨＤＬＣフレームに組み立てる工程と、組み立てたＨＤＬＣフレームをＶＤＳＬ回線に送信する工程と、前記複数のＶＴＵ−Ｏに対向してＶＤＳＬ回線を介して接続される複数のＶＴＵ−Ｒでは対向したＶＴＵ−ＯからＨＤＬＣフレームを、ＶＤＳＬ回線を介して、受信する工程と、受信したＨＤＬＣフレームを分解して制御フィールドにループバックの指定値を検出する工程と、制御フィールドにループバックの指定値を検出した場合、コンソールを切り離し受信したＨＤＬＣフレームを折り返す工程と、折り返したＨＤＬＣフレームを、ＶＤＳＬ回線を介して、対向するＶＴＵ−Ｏに送信する工程と、対向するＶＴＵ−Ｏでは折り返したＨＤＬＣフレームを、ＶＤＳＬ回線を介して、受信する工程と、受信した折り返しＨＤＬＣフレームを分解し制御フィールドにループバックの指定値、アドレスフィールドに自分宛のアドレスの値があるか否かを検出する工程と、制御フィールドにループバックの指定値、アドレスフィールドに自分宛のアドレスの値を検出した場合、固有データとして設定されたテストデータを照合しエラーを検出する工程と、照合結果を表示する工程とを備えるＶＤＳＬ装置のＶＤＳＬ試験方法を提供する。
【００２１】
この手段により、ＶＤＳＬ装置が単独でループバックができ、設置作業時にＩＰ通信に依存せず単独で保守試験が可能であり、障害発生時に切り分けを可能とし、ＶＤＳＬ装置の設置作業、障害発生時の調査作業が容易になる。
【００２２】
さらに、本発明は、コンソールからのパケットをＨＤＬＣフレームに組み立てＶＤＳＬ回線に送信し、ＶＤＳＬ回線から受信したＨＤＬＣフレームを分解してコンソールにパケットを送信するＶＤＳＬ装置のＶＤＳＬ試験方法において、宅内の複数のＶＴＵ−Ｒでは試験時にＶＴＵ−Ｒのコンソールを切り離す工程と、アドレスフィールドにルーティング先であるＶＴＵ−Ｒのアドレスの値、制御フィールドにルーティングの指定値、固有データとしてテストデータを設定しＨＤＬＣフレームに組み立てる工程と、組み立てたＨＤＬＣフレームをＶＤＳＬ回線に送信する工程と、前記複数のＶＴＵ−Ｒに対向してＶＤＳＬ回線を介して接続され、ポート接続線で接続されるＶＤＳＬポートを有する局内の複数のＶＴＵ−Ｏでは対向したＶＴＵ−ＲからＨＤＬＣフレームを、ＶＤＳＬ回線を介して、受信する工程と、受信したＨＤＬＣフレームを分解して制御フィールドにルーティングの指定値を検出する工程と、制御フィールドにルーティングの指定値を検出した場合、コンソールを切り離し受信したＨＤＬＣフレームを折り返す工程と、折り返したＨＤＬＣフレームをＶＤＳＬポートからポート接続線を介して他のＶＴＵ−Ｏに送信する工程と、他のＶＴＵ−Ｏでは受信したＨＤＬＣフレームを分解し制御フィールドにルーティングの指定値があるか否かを検出する工程と、制御フィールドにルーティングの指定値がある場合、他のＶＴＵ−Ｏのコンソールを切り離し、受信したＨＤＬＣフレームを折り返す工程と、折り返したＨＤＬＣフレームを、他のＶＴＵ−Ｏに対向する他のＶＴＵ−Ｒに、ＶＤＳＬ回線を介して、送信する工程と、他のＶＴＵ−Ｒでは、対向する他のＶＴＵ−Ｏから折り返したＨＤＬＣフレームを受信する工程と、他のＶＴＵ−Ｒでは、受信したＨＤＬＣフレームを分解し制御フィールドにルーティングの指定値、アドレスフィールドにルーティング先であるＶＴＵ−Ｒのアドレスの値があるか否かを検出する工程と、
制御フィールドにルーティングの指定値、アドレスフィールドにルーティング先であるＶＴＵ−Ｒのアドレスの値を検出した場合、固有データとして設定されたテストデータを照合しエラーを検出する工程と、照合結果を表示する工程と、制御フィールドにルーティングの指定値を検出し、アドレスフィールドにルーティング先であるＶＴＵ−Ｒのアドレスの値を検出できない場合、他のＶＴＵ−Ｒのコンソールを切り離し、受信したＨＤＬＣフレームを折り返す工程と、折り返したＨＤＬＣフレームを、ＶＤＳＬ回線を介して、対向する他のＶＴＵ−Ｏに送信し、ルーティング先であるＶＴＵ−Ｒのアドレスを検出するまで、ルーティングを続ける工程とを備えるＶＤＳＬ試験方法を提供する。
【００２３】
この手段により、ＨＤＬＣフレームをルーティングして複数のＶＤＳＬ装置とＶＤＳＬ回線とを試験でき、設置作業時にＩＰ通信に依存せず単独で保守試験が可能であり、障害発生時に切り分けを可能とし、ＶＤＳＬ装置の設置作業、障害発生時の調査作業が容易になる。
【００２４】
【発明の実施の形態】
以下、本発明の実施の形態について図面を参照して説明する。
図１は本発明に係るＶＤＳＬ試験システムのループバック、ルーティング試験の概略論理構成を示すブロック図である。
【００２５】
本図に示すように、局側のＶＤＳＬ  ＣＯ（Ｃｅｎｔｅｒ  Ｏｆｆｉｃｅ）装置４００には複数のＶＴＵ−Ｏ１００−１、１００−２、１００−３が設けられ、ＶＴＵ−Ｏ１００−１、１００−２、１００−３はＶＤＳＬポート１００−１１、１００−１２、１００−１３をそれぞれ有する。
【００２６】
ＶＤＳＬポート１００−１１とＶＤＳＬポート１００−１２はポート接続線４１２で接続され、ＶＤＳＬポート１００−１２とＶＤＳＬポート１００−１３はポート接続線４２３で接続される。なお、ＶＤＳＬポート１００−１３とＶＤＳＬポート１００−１１はポート接続線４３１（図示しない）で接続される。
宅側のＶＴＵ−Ｒ２００−１、２００−２、２００−３は局側のＶＴＵ−Ｏ１００−１、１００−２、１００−３とそれぞれ対向し、ＶＴＵ−Ｒ２００−１、２００−２、２００−３のＶＤＳＬポート１００−１１、１００−１２、１００−１３とＶＤＳＬ回線３００−１、３００−２、３００−３を介してそれぞれ接続される。次に、
【００２７】
ＶＴＵ−Ｏ１００−１、ＶＤＳＬポート１００−１１、ＶＤＳＬ回線３００−１、ＶＴＵ−Ｒ２００−１はループバック１３１を形成する。
ＶＴＵ−Ｏ１００−２、ＶＤＳＬポート１００−１２、ＶＤＳＬ回線３００−２、ＶＴＵ−Ｒ２００−２はループバック１３２を形成する。
ＶＴＵ−Ｏ１００−３、ＶＤＳＬポート１００−１３、ＶＤＳＬ回線３００−３、ＶＴＵ−Ｒ２００−３はループバック１３３を形成する。
【００２８】
この場合、局内から宅内へのループバック、宅内から局内へのループバックが可能である。
次に、一例として、
ＶＴＵ−Ｒ２００−１、ＶＤＳＬ回線３００−１、ＶＤＳＬポート１００−１１、ＶＴＵ−Ｏ１００−１、ポート接続線４１２、ＶＤＳＬポート１００−１２、ＶＴＵ−Ｏ１００−２、ＶＤＳＬ回線３００−２、ＶＴＵ−Ｒ２００−２はルーティング１４１を形成する。
【００２９】
ＶＴＵ−Ｒ２００−３、ＶＤＳＬ回線３００−３、ＶＤＳＬポート１００−１３、ＶＴＵ−Ｏ１００−３、ポート接続線４２３、ＶＤＳＬポート１００−１２、ＶＴＵ−Ｏ１００−２、ポート接続線４１２、ＶＤＳＬポート１００−１１、ＶＴＵ−Ｏ１００−１、ＶＤＳＬ回線３００−１、ＶＴＵ−Ｒ２００−１はルーティング１４２を形成する。
この場合、宅内から宅内へのルーティングが主であるが、局内から局内、宅内から局内、局内から宅内へのルーティングも可能である。
【００３０】
このようにして、コンソール又はＥｔｈｅｒｎｅｔ（登録商標）等の端末を接続することなく、装置を対向状態にすることだけで、フレームのループバック１３１、１３２、１３３を行い、装置単独で、試験が可能になる。
さらに、フレームのルーティング１４１、１４２を行い、複数の装置とＶＤＳＬ回線で、試験が可能になる。
【００３１】
図２はＶＴＵ−Ｏ１００−１、１００−２、１００−３、ＶＴＵ−Ｒ２００−１、２００−２、２００−３の概略論理構成を示すブロック図である。
本図に示すように、図１１と比較して、ＶＴＵ−Ｏ１００−１、１００−２、１００−３、ＶＴＵ−Ｒ２００−１、２００−２、２００−３にはＶＤＳＬ管理エントリー部１０４／２０４とＴＰＳ伝送コンバージェンス部１０３／２０３の間にＡスイッチ１１１／２１１が接続され、Ａスイッチ１１１／２１１は試験時にコンソール又はＥｔｈｅｒｎｅｔ（登録商標）等の端末を切り離し、ループバック用又はルーティング用の通信を行う信号とそれ以外の通信を行う信号とを切り替え、通信を折り返す。
【００３２】
さらに、ＴＰＳ伝送コンバージェンス部１０３／２０３にはアドレス・制御フィールド設定部１１７／２１７が設けられ、アドレス・制御フィールド設定部１１７／２１７は、パケット転送モードを使用するフレーム形成にしたがって、ループバック用又はルーティング用のアドレスの値を生成しＨＤＬＣフレームのアドレスフィールド（Ａｄｄｒｅｓｓ  Ｆｉｅｌｄ）４０１に設定し、ループバック用又はルーティング用である旨の値を生成し、ＨＤＬＣフレームの制御フィールド（Ｃｏｎｔｏｒｏｌ  Ｆｉｅｌｄ）４０２に設定し、任意のテストデータを生成しＨＤＬＣフレームの固有データに設定する。
【００３３】
アドレス・制御フィールド設定部１１７／２１７のアドレスフィールド４０１の設定では、ループバック用の場合にはに自分宛のアドレスの値を設定し、ルーティング用の場合には自分宛以外のアドレスの値を設定する。
アドレス・制御フィールド設定部１１７／２１７にはＨＤＬＣカプセル化部（ＨＤＬＣ  Ｅｎｃａｐｓｕｌａｔｉｏｎ）１１３／２１３が接続され、ＨＤＬＣカプセル化部１１３／２１３はアドレス・制御フィールド設定部１１７／２１７により設定されたアドレスフィールド４０１、制御フィールド４０２、固有データをＨＤＬＣフレームに組み立て、ＰＭＳ伝送コンバージェンス部１０２／２０２を介してＶＤＳＬ回線３００側に送信させる。
【００３４】
ＴＰＳ伝送コンバージェンス部１０３／２０３にはアドレス・制御フィールド検出部１１５／２１５が設けられ、アドレス・制御フィールド検出部１１５／２１５はＰＭＳ伝送コンバージェンス部１０２／２０２を介してＶＤＳＬ回線３００側から受信したＨＤＬＣフレームを分解してアドレスフィールド４０１のアドレスの値からＨＤＬＣフレームが自分宛であるかを検出し、制御フィールド４０２から受信したＨＤＬＣフレームがループバック用又はルーティング用であるかを検出する。
【００３５】
アドレス・制御フィールド検出部１１５／２１５にはＢスイッチ１１２／２１２が設けられ、Ｂスイッチ１１２／２１２は自分宛のループバック用又はルーティング用の受信信号と、自分宛以外のループバック用又ルーティング用の受信信号とを切り替える。
アドレス・制御フィールド検出部１１５／２１５にはエラー検出部１１４／２１４が接続され、エラー検出部１１４／２１４はＶＤＳＬ回線３００から受信したループバック用又はルーティング用のＨＤＬＣフレームでデータの中身にエラーがあるか否かをテストデータを照合する。
【００３６】
エラー検出部１１４／２１４には指示部１１６／２１６が接続され、指示部１１６／２１６はエラー検出部１１４／２１４から照合結果を入力し表示する。
アドレス・制御フィールド検出部１１５／２１５では、受信したＨＤＬＣフレームが自分宛で、ループバック用又はルーティング用である場合には受信したＨＤＬＣフレームの固有データをエラー検出部１１４／２１４に出力するようにＢスイッチ１１２／２１２の切り替えを制御する。
【００３７】
アドレス・制御フィールド検出部１１５／２１５では、受信したＨＤＬＣフレームが自分宛でなく、ループバック用又はルーティング用である場合には受信したＨＤＬＣフレームの固有データをＡスイッチ１１１／２１１に出力するようにＢスイッチ１１２／２１２の切り替えを制御し、さらに、ＨＤＬＣフレームが折り返すようにＡスイッチ１１１／２１１の切り替えを制御する。
【００３８】
図３はパケット転送モードを使用するＶＤＳＬ装置の信号フレーム構造を示す図である。
本図に示すように、パケット転送モード（Ｐａｃｋｅｔ  Ｔｒａｎｓｆｅｒ  Ｍｏｄｅ）信号フレームは、
Ｏｐｅｎｉｎｇ  Ｆｌａｇ：７Ｅ１６（８ｂｉｔ）と、
Ａｄｄｒｅｓｓ  Ｆｉｅｌｄ  ４０１：ＦＦ１６（８ｂｉｔ）と、
【００３９】
Ｃｏｎｔｒｏｌ  Ｆｉｅｌｄ  ４０２：０３１６（８ｂｉｔ）と、
Ｉｎｆｏｒｍａｔｉｏｎ  Ｆｉｅｌｄ：任意長  データと、
ＦＣＳ：１６ｂｉｔと、
Ｃｌｏｓｉｎｇ  Ｆｌａｇ：７Ｅ１６（８ｂｉｔ）との６個の機能をもつフィールドから構成されている。
【００４０】
本図では、アドレスフィールド４０１は初期値ＦＦ１６、制御フィールド４０２は初期値０３１６に設定されており、一般的なＶＤＬＳ装置において、アドレスフィールド４０１、制御フィールド４０２は普遍の値となっている。
図４、図５は図１における概略論理構成のより詳細な例を示すブロック図である。本図に示すように、ＶＤＳＬ  ＣＯ装置４００における複数のＶＴＵ−Ｏ１００−１、１００−２と複数のＶＴＵ−Ｒ２００−１、２００−２がそれぞれ対向し、ＶＴＵ−Ｏ１００−１、１００−２のＶＤＳＬポート１００−１１、１００−１２とＶＴＵ−Ｒ２００−１、２００−２の物理メディア依存部２０１とがＶＤＳＬ回線３００−１、３００−２を介してそれぞれ接続される。
【００４１】
図６、図７はＶＴＵ−Ｏ１００−１とＶＴＵ−Ｒ２００−１とのループバック１３１の試験動作例を説明するフローチャートである。
図６に示すように、ステップＳ５０１において、ＶＤＳＬ  ＣＯ装置４００においてループバックを起動するためのイベントが発生すると、ＶＴＵ−Ｏ１００−１ではＡスイッチ１１１の切り替えで、Ａスイッチ１１１からコンソール又はＥｔｈｅｒｎｅｔ（登録商標）等の端末を切り離す。
【００４２】
ステップＳ５０２において、アドレス・制御フィールド設定部１１７では、アドレスフィールド４０１に自分宛のアドレスの値を設定する。
ステップＳ５０３において、アドレス・制御フィールド設定部１１７では、制御フィールド４０２にループバック用であることを指定する値を設定する。
ステップＳ５０４において、アドレス・制御フィールド設定部１１７では、固有データにテストデータの値を設定する。
【００４３】
ステップＳ５０５において、ＨＤＬＣカプセル化部１１３では、アドレス・制御フィールド設定部１１７が設定した値、データをＨＤＬＣフレームに組み立てる。
ステップＳ５０６において、ＨＤＬＣフレームをＶＴＵ−Ｏ１００−１のＶＤＳＬポート１００−１１からＶＤＳＬ回線３００−１に送信する。
【００４４】
ステップＳ５０７において、ＶＴＵ−Ｒ２００−１ではＶＤＳＬ回線３００−１からＨＤＬＣフレームを受信する。
図７に示すように、ステップＳ５０８において、ＶＴＵ−Ｒ２００−１のアドレス・制御フィールド検出部２１５ではＨＤＬＣフレームを分解して制御フィールド４０２の値がループバック用であるか否かを検出する。ループバック用でない場合は処理を終了する。
【００４５】
ステップＳ５０９において、ループバック用である場合、アドレスフィールド４０１のアドレスの値が自分宛であるか否かを検出する。自分宛である場合には処理を終了する。
ステップＳ５１０において、自分宛でない場合には、Ｂスイッチ２１２、Ａスイッチ２１１によりＨＤＬＣフレームを折り返す。
【００４６】
ステップＳ５１１において、ＶＴＵ−Ｒ２００−１からＨＤＬＣフレームをＶＤＳＬ回線３００−１に送信する。
ステップＳ５１２において、ＶＴＵ−Ｏ１００−１のＶＤＳＬポート１００−１１でＶＤＳＬ回線３００−１からＨＤＬＣフレームを受信する。
ステップＳ５１３において、ＶＴＵ−Ｏ１００−１のアドレス・制御フィールド検出部１１５でＨＤＬＣフレームを分解し制御フィールド４０２の値がループバックであるか否かを検出する。ループバック用でなければ処理を終了する。
【００４７】
ステップＳ５１４において、ループバック用である場合、アドレスフィールド４０１のアドレスの値が自分宛であるか否かを検出する。自分宛でなければ処理を終了する。
ステップＳ５１５において、自分宛であれば、Ｂスイッチ１１２の切り替えによりエラー検出部１１４ではＨＤＬＣフレームの固有データにおけるテストデータの照合を行う。
【００４８】
ステップＳ５１６において、指示部１１６に照合結果を表示させ、処理を終了する。
このようにして、ＶＤＳＬ装置が単独でループバックができ、設置作業時にＩＰ通信に依存せず単独で保守試験が可能であり、障害発生時に切り分けを可能とし、ＶＤＳＬ装置の設置作業、障害発生時の調査作業が容易になる。
【００４９】
図８、図９はＶＴＵ−Ｒ２００−１からＶＴＵ−Ｒ２００−２へのルーティング１４１の試験動作例を説明するフローチャートである。
図８に示すように、ステップＳ５２１において、ＶＴＵ−Ｒ２００−１でルーティングを起動するためのイベントが発生すると、ＶＴＵ−Ｒ２００−１ではＡスイッチ２１１の切り替えで、Ａスイッチ２１１からコンソール又はＥｔｈｅｒｎｅｔ（登録商標）等の端末を切り離す。
【００５０】
ステップＳ５２２において、アドレス・制御フィールド設定部２１７では、アドレスフィールド４０１にルーティング先であるＶＴＵ−Ｒ２００−２宛のアドレスの値（４０１−２）を設定する。
ステップＳ５２３において、アドレス・制御フィールド設定部２１７では、制御フィールド４０２にルーティング用であることを指定する値を設定する。
ステップＳ５２４において、アドレス・制御フィールド設定部２１７では、固有データにテストデータの値を設定する。
【００５１】
ステップＳ５２５において、ＨＤＬＣカプセル化部２１３では、アドレス・制御フィールド設定部２１７が設定した値、データをＨＤＬＣフレームに組み立てる。
ステップＳ５２６において、ＨＤＬＣフレームをＶＴＵ−Ｏ２００−１からＶＤＳＬ回線３００−１に送信する。
【００５２】
ステップＳ５２７において、ＶＴＵ−Ｏ１００−１ではＶＤＳＬ回線３００−１からＨＤＬＣフレームを受信する。
ステップＳ５２８において、ＶＴＵ−Ｏ１００−１のアドレス・制御フィールド検出部１１５ではＨＤＬＣフレームを分解して制御フィールド４０２の値がルーティング用であるか否かを検出する。ルーティング用でない場合は処理を終了する。
【００５３】
ステップＳ５２９において、ルーティング用である場合、ルーティング先が自分宛であるか否かを検出する。すなわち、アドレスフィールド４０１のアドレスの値が自分宛で、ＶＴＵ−Ｒ２００−２のアドレスの値ではない場合には処理を終了する。
ステップＳ５３０において、アドレスフィールド４０１のアドレスの値がＶＴＵ−Ｒ２００−２のアドレスであり、自分宛ではない場合、Ａスイッチ１１１、Ｂスイッチ１１２により、ＶＴＵ−Ｏ１００−１のＶＤＳＬポート１００−１１からＶＴＵ−Ｏ１００−２のＶＤＳＬポート１００−１２に、ポート接続線４１２を介して、ＨＤＬＣフレームを送信する。
【００５４】
図９に示すように、ステップＳ５３１において、ＶＴＵ−Ｏ１００−２のＶＤＳＬポート１００−１２でＨＤＬＣフレームを受信する。
ステップＳ５３２において、ＶＴＵ−Ｏ１００−２のアドレス・制御フィールド検出部１１５ではＨＤＬＣフレームを分解して制御フィールド４０２の値がルーティング用であるか否かを検出する。ルーティング用でない場合は処理を終了する。
【００５５】
ステップＳ５３３において、ルーティング用である場合、ルーティング先が自分宛であるか否かを検出する。すなわち、アドレスフィールド４０１のアドレスの値が自分宛で、ＶＴＵ−Ｒ２００−２のアドレスの値ではない場合には処理を終了する。
ステップＳ５３４において、アドレスフィールド４０１のアドレスの値がＶＴＵ−Ｒ２００−２のアドレスであり、自分宛ではない場合、Ａスイッチ１１１、Ｂスイッチ１１２により、ＶＴＵ−Ｏ１００−２のＶＤＳＬポート１００−１２からＶＤＳＬ回線３００−２にＨＤＬＣフレームを送信する。
【００５６】
ステップＳ５３５において、ＶＴＵ−Ｒ２００−２でＶＤＳＬ回線３００−２からＨＤＬＣフレームを受信する。
ステップＳ５３６において、ＶＴＵ−Ｒ２００−２のアドレス・制御フィールド検出部２１５ではＨＤＬＣフレームを分解して制御フィールド４０２の値がルーティング用であるか否かを検出する。ルーティング用でない場合は処理を終了する。
【００５７】
ステップＳ５３７において、ルーティング用である場合、ルーティング先が自分宛であるか否かを検出する。すなわち、アドレスフィールド４０１のアドレスの値が自分宛ではなく、つまりＶＴＵ−Ｒ２００−２のアドレスの値ではない場合には図１０の▲１▼の処理に進む。
ステップＳ５３８において、ルーティング先が自分宛、すなわち、ＶＴＵ−Ｒ２００−２である場合、Ｂスイッチ１１２の切り替えによりエラー検出部２１４ではＨＤＬＣフレームの固有データにおけるテストデータの照合を行う。
【００５８】
ステップＳ５３９において、指示部２１６に照合結果を表示させ、処理を終了する。
このようにして、ＨＤＬＣフレームをルーティングして複数のＶＤＳＬ装置とＶＤＳＬ回線とを試験でき、設置作業時にＩＰ通信に依存せず単独で保守試験が可能であり、障害発生時に切り分けを可能とし、ＶＤＳＬ装置の設置作業、障害発生時の調査作業が容易になる。
【００５９】
図１０は図９の▲１▼の処理の続きを説明するフローチャートである。
本図に示すように、ステップＳ５４１において、アドレスフィールド４０１のアドレスの値が自分宛でない場合、Ａスイッチ２１１、Ｂスイッチ２１２によって、ＶＴＵ−Ｒ２００−２からＶＴＵ−Ｏ１００−２のＶＤＳＬポート１００−１２にＶＤＳＬ回線３００−２を介してＨＤＬＣフレームを送信する。
【００６０】
ステップＳ５４２において、ＶＴＵ−Ｏ１００−２ではＶＤＳＬポート１００−１２からＶＴＵ−Ｏ１００−３のＶＤＳＬポート１００−１３にポート接続線４２３を介してＨＤＬＣフレームを送信する。
ステップＳ５４３において、ＶＴＵ−Ｏ１００−３のＶＤＳＬポート１００−１３からＶＴＵ−Ｒ２００−３に対して、図９のステップＳ５３４〜ステップＳ５３９の処理を行い、処理を終了する。
これにより、ルーティングを自動的に行うことが可能になる。
【００６１】
【発明の効果】
以上説明したように、本発明によれば、試験時に局内の複数のＶＴＵ−ＯではＶＴＵ−Ｏのコンソールを切り離し、アドレスフィールドに自分宛のアドレスの値、制御フィールドにループバックの指定値、固有データとしてテストデータを設定しＨＤＬＣフレームに組み立て、組み立てたＨＤＬＣフレームをＶＤＳＬ回線に送信し、複数のＶＴＵ−Ｏに対向してＶＤＳＬ回線を介して接続される複数のＶＴＵ−Ｒでは対向したＶＴＵ−ＯからＨＤＬＣフレームを、ＶＤＳＬ回線を介して、受信し、受信したＨＤＬＣフレームを分解して制御フィールドにループバックの指定値を検出し、制御フィールドにループバックの指定値を検出した場合、コンソールを切り離し受信したＨＤＬＣフレームを折り返し、折り返したＨＤＬＣフレームを、ＶＤＳＬ回線を介して、対向するＶＴＵ−Ｏに送信し、対向するＶＴＵ−Ｏでは折り返したＨＤＬＣフレームを、ＶＤＳＬ回線を介して、受信し、受信した折り返しＨＤＬＣフレームを分解し制御フィールドにループバックの指定値、アドレスフィールドに自分宛のアドレスの値があるか否かを検出し、制御フィールドにループバックの指定値、アドレスフィールドに自分宛のアドレスの値を検出した場合、固有データとして設定されたテストデータを照合しエラーを検出し、照合結果を表示するようにしたので、ＶＤＳＬ装置が単独でループバックができ、設置作業時にＩＰ通信に依存せず単独で保守試験が可能であり、障害発生時に切り分けを可能とし、ＶＤＳＬ装置の設置作業、障害発生時の調査作業が容易になる。
【００６２】
さらに、本発明は、宅内の複数のＶＴＵ−Ｒでは試験時にＶＴＵ−Ｒのコンソールを切り離し、アドレスフィールドにルーティング先であるＶＴＵ−Ｒのアドレスの値、制御フィールドにルーティングの指定値、固有データとしてテストデータを設定しＨＤＬＣフレームに組み立て、組み立てたＨＤＬＣフレームをＶＤＳＬ回線に送信し、複数のＶＴＵ−Ｒに対向してＶＤＳＬ回線を介して接続され、ポート接続線で接続されるＶＤＳＬポートを有する局内の複数のＶＴＵ−Ｏでは対向したＶＴＵ−ＲからＨＤＬＣフレームを、ＶＤＳＬ回線を介して、受信し、受信したＨＤＬＣフレームを分解して制御フィールドにルーティングの指定値を検出する工程と、制御フィールドにルーティングの指定値を検出した場合、コンソールを切り離し受信したＨＤＬＣフレームを折り返し、折り返したＨＤＬＣフレームをＶＤＳＬポートからポート接続線を介して他のＶＴＵ−Ｏに送信し、他のＶＴＵ−Ｏでは受信したＨＤＬＣフレームを分解し制御フィールドにルーティングの指定値があるか否かを検出し、制御フィールドにルーティングの指定値がある場合、他のＶＴＵ−Ｏのコンソールを切り離し、受信したＨＤＬＣフレームを折り返し、折り返したＨＤＬＣフレームを、他のＶＴＵ−Ｏに対向する他のＶＴＵ−Ｒに、ＶＤＳＬ回線を介して、送信し、他のＶＴＵ−Ｒでは、対向する他のＶＴＵ−Ｏから折り返したＨＤＬＣフレームを受信し、他のＶＴＵ−Ｒでは、受信したＨＤＬＣフレームを分解し制御フィールドにルーティングの指定値、アドレスフィールドにルーティング先であるＶＴＵ−Ｒのアドレスの値があるか否かを検出し、制御フィールドにルーティングの指定値、アドレスフィールドにルーティング先であるＶＴＵ−Ｒのアドレスの値を検出した場合、固有データとして設定されたテストデータを照合しエラーを検出し、照合結果を表示し、制御フィールドにルーティングの指定値を検出し、アドレスフィールドにルーティング先であるＶＴＵ−Ｒのアドレスの値を検出できない場合、他のＶＴＵ−Ｒのコンソールを切り離し、受信したＨＤＬＣフレームを折り返し、折り返したＨＤＬＣフレームを、ＶＤＳＬ回線を介して、対向する他のＶＴＵ−Ｏに送信し、ルーティング先であるＶＴＵ−Ｒのアドレスを検出するまで、ルーティングを続けるようにしたので、ＨＤＬＣフレームをルーティングして複数のＶＤＳＬ装置とＶＤＳＬ回線とを試験でき、設置作業時にＩＰ通信に依存せず単独で保守試験が可能であり、障害発生時に切り分けを可能とし、ＶＤＳＬ装置の設置作業、障害発生時の調査作業が容易になる。
【図面の簡単な説明】
【図１】本発明に係るＶＤＳＬ試験システムのループバック、ルーティング試験の概略論理構成を示すブロック図である。
【図２】ＶＴＵ−Ｏ１００−１、１００−２、１００−３、ＶＴＵ−Ｒ２００−１、２００−２、２００−３の概略論理構成を示すブロック図である。
【図３】パケット転送モードを使用するＶＤＳＬ装置の信号フレーム構造を示す図である。
【図４】図１における概略論理構成のより詳細な例を示すブロック図である。
【図５】図１における概略論理構成のより詳細な例を示すブロック図である。
【図６】ＶＴＵ−Ｏ１００−１とＶＴＵ−Ｒ２００−１とのループバック１３１の試験動作例を説明するフローチャートである。
【図７】ＶＴＵ−Ｏ１００−１とＶＴＵ−Ｒ２００−１とのループバック１３１の試験動作例を説明するフローチャートである。
【図８】ＶＴＵ−Ｒ２００−１からＶＴＵ−Ｒ２００−２へのルーティング１４１の試験動作例を説明するフローチャートである。
【図９】ＶＴＵ−Ｒ２００−１からＶＴＵ−Ｒ２００−２へのルーティング１４１の試験動作例を説明するフローチャートである。
【図１０】図９の▲１▼の処理の続きを説明するフローチャートである。
【図１１】本発明の前提となる一般的なＶＤＳＬ装置の概略論理構成を示すブロック図である。
【図１２】図１１のＶＴＵ−Ｏ１００とＶＴＵ−Ｒ２００が接続されるＶＤＳＬ装置の概略論理構成を示すブロック図である。
【符号の説明】
１０１、２０１…物理メディア依存部
１０２、２０２…ＰＭＳ伝送コンバージェンス部
１０３、２０３…ＴＰＳ伝送コンバージェンス部
１０４、２０４…ＶＤＳＬ管理エントリー部
１０５、２０５…ＰＭＤ＆ＴＣ管理部
１０６、２０６…管理情報データベース部
１０７、２０７…外部インタフェースアダプタ
１００、１００−１、１００−２、１００−３…ＶＴＵ−Ｏ
１００−１１、１００−１２、１００−１３…ＶＤＳＬポート
１１１、２１１…Ａスイッチ
１１２、２１２…Ｂスイッチ
１１３、２１３…ＨＤＬＣカプセル化部
１１４、２１４…エラー検出部
１１５、２１５…アドレス・制御フィールド検出部
１１６、２１６…指示部
１１７、２１７…アドレス制御フィールド設定部
１３１、１３２、１３３…ループバック
１４１、１４２…ルーティング
２００、２００−１、２００−２、２００−３…ＶＴＵ−Ｒ
３００、３００−１、３００−２、３００−３…ＶＤＳＬ回線
４００…ＶＤＳＬ  ＣＯ装置
４０１…アドレスフィールド
４０２…制御フィールド
４１２、４２３、４３１…ポート接続線
【図１】
2005005908.tif 000003
【図２】
2005005908.tif 000004
【図３】
2005005908.tif 000005
【図４】
2005005908.tif 000006
【図５】
2005005908.tif 000007
【図６】
2005005908.tif 000008
【図７】
2005005908.tif 000009
【図８】
2005005908.tif 000010
【図９】
2005005908.tif 000011
【図１０】
2005005908.tif 000012
【図１１】
2005005908.tif 000013
【図１２】
2005005908.tif 000014